(57)【要約】【課題】  ２つの定期券を所持する煩わしさがなくなり、１つのＩＣ定期券で２つの定期券情報からなる区間を利用できる。【解決手段】  ２つの磁気定期券からそれぞれ定期券情報を読み取り、それら２つの磁気定期券における有効区間が連続する場合、それぞれの磁気定期券の定期券情報を１つのＩＣ定期券に記録し、発券するようにしたものである。【選択図】      図１
2005100252.tif 000002
【特許請求の範囲】
【請求項１】
利用者が所持している複数の磁気券から複数の定期券情報を読み取る読取手段と、
この読取手段により読み取った複数の定期券情報における有効区間が連続しているか否かを判断する判断手段と、
この判断手段により複数の定期券情報における有効区間が連続していると判断した場合、前記読取手段により読み取った有効区間が連続している複数の定期券情報を定期券として利用可能な１つのＩＣカードに記録して発券する発券手段と、
を有することを特徴とする定期券処理装置。
【請求項２】
さらに、前記発券手段により発券したＩＣカードに記録した定期券情報の各磁気券に対して、定期券情報をＩＣカードに記録済みであることを示す情報を記録する処理手段を有する、ことを特徴とする前記請求項１に記載の定期券処理装置。
【請求項３】
利用者が所持している磁気券から定期券情報を読み取る第１の読取手段と、
利用者が所持しているＩＣカードから定期券情報を読み取る第２の読取手段と、
前記第１の読取手段により読み取った磁気券の定期券情報における有効区間と前記第２の読取手段により読み取ったＩＣカードの定期券情報における有効区間とが連続しているか否かを判断する判断手段と、
この判断手段により前記磁気券の定期券情報における有効区間と前記ＩＣカードの定期券情報における有効区間とが連続していると判断した場合、前記第１の読取手段により読み取った前記磁気券の定期券情報を前記ＩＣカードに記録する記録手段と、
を有することを特徴とする定期券処理装置。
【請求項４】
さらに、前記記録手段により前記ＩＣカードに記録した定期券情報の磁気券に対して、定期券情報をＩＣカードへ記録済みであることを示す情報を記録する処理手段を有する、ことを特徴とする前記請求項３に記載の定期券処理装置。
【請求項５】
定期券に対する処理を行う定期券処理装置と複数の定期券情報による組み合わせ判定が可能な自動改札機とを有する定期券処理システムにおいて、
前記定期券処理装置は、
利用者が所持している複数の磁気券から複数の定期券情報を読み取る第１の読取手段と、
この第１の読取手段により読み取った複数の定期券情報における有効区間が連続しているか否かを判断する判断手段と、
この判断手段により複数の定期券情報における有効区間が連続していると判断した場合、前記第１の読取手段により読み取った複数の定期券情報を前記自動改札機で使用可能な１つのＩＣカードに記録して発券する発券手段と、を有し、
前記自動改札機は、
前記定期券処理装置にて複数の定期券情報が記録されたＩＣカードから複数の定期券情報を読み取る第２の読取手段と、
この第２の読取手段により読み取った複数の定期券情報の組み合わせに基づいて当該ＩＣカードを所持している利用者に対する通行の可否を判定する判定手段と、
この判定手段による判定結果に基づいて当該ＩＣカードを所持している利用者の通行を制御する通行制御手段と、を有する、
ことを特徴とする定期券処理システム。
【請求項６】
定期券に対する処理を行う定期券処理装置と複数の定期券情報による組み合わせ判定が可能な自動改札機とを有する定期券処理システムにおいて、
前記定期券処理装置は、
利用者が所持している磁気券から定期券情報を読み取る第１の読取手段と、
利用者が所持しているＩＣカードから定期券情報を読み取る第２の読取手段と、
前記第１の読取手段により読み取った前記磁気券の定期券情報における有効区間と前記第２の読取手段により読み取った前記ＩＣカードの定期券情報における有効区間とが連続しているか否かを判断する判断手段と、
この判断手段により前記磁気券の定期券情報における有効区間と前記ＩＣカードの定期券情報における有効区間とが連続していると判断した場合、前記第１の読取手段により読み取った前記磁気券の定期券情報を前記ＩＣカードに記録する記録手段と、を有し、
前記自動改札機は、
前記定期券処理装置にて磁気券の定期券情報を記録したＩＣカードから複数の定期券情報を読み取る第３の読取手段と、
この第３の読取手段により読み取った複数の定期券情報の組み合わせに基づいて当該ＩＣカードを所持している利用者に対する通行の可否を判定する判定手段と、
この判定手段による判定結果に基づいて当該ＩＣカードを所持している利用者の通行を制御する通行制御手段と、を有する、
ことを特徴とする定期券処理システム。
【発明の詳細な説明】
【技術分野】
【０００１】
本発明は、たとえば、鉄道やバスなどの交通機関で用いられる定期券を発行する定期券発行機や定期券などのカードに対する処理を行うカード処理機等の定期券処理装置と、この定期券処理装置と利用者が所持している定期券に基づいて改札処理を行う自動改札機とからなる定期券処理システムに関する。
【背景技術】
【０００２】
近年、鉄道やバスなどの交通機関では、定期券情報を記憶したＩＣカードを定期券（以下、ＩＣ定期券とも称する）として運用することが多くなってきている。しかしながら、従来の磁気記録部に定期券情報を記録した定期券（以下、磁気定期券とも称する）も存在しているため、１人の利用者がＩＣ定期券及び磁気定期券を併用することも多い。また、２つの定期券を所持している利用者は、自動改札機を通過する場合、状況に応じて２つの定期券を使い分ける必要がある。特に、２つの定期券の区間が連続している場合、それらの定期券を適切に使い分けなければ、自動改札機で通行判定が不可となる。さらに、定期券にストアードフェアカードとして利用可能な機能が備わっている場合、誤って定期券を使用すると、ストアードフェアカードの機能から乗車料金が引き去られてしまうこともありえる。
【０００３】
１人の利用者が区間の連続する２つの定期券を所持するケースとしては、以下のようなケースがある。
【０００４】
（１）分割定期券を使用する場合。この分割定期券とは、１つの区間を連続する２つの区間に分けた２つの定期券のことである。これは、鉄道などの運賃規定によって、ある区間を１枚の定期券として購入するよりも、その区間を２つの区間に分けて２枚の定期券として購入する方が安い場合に発生する。
【０００５】
（２）通勤定期券と通学定期券との併用する場合。通常、通学定期券は、自宅と学校との区間（通学区間）でのみ購入可能であるため、通学区間以外の区間分の定期券は、別途、通勤定期券として購入する必要がある。
【０００６】
（３）職務乗車証などの特殊乗車証と定期券とを併用する場合。
【０００７】
このように、従来は、２種類の区間が連続する定期券を１枚づつ利用した場合、以下のような問題点がある。
【０００８】
（１）区間が連続する２枚の定期券を１枚づつ自動改札機で使用する場合、乗車時、降車時に使用する定期券が異なるため適切な不正判定が行えないという問題点がある。
【０００９】
（２）自動改札機で乗車時あるいは降車時に異なる定期券を利用する場合、間違えて使用した定期券がストアードフェアカードの機能を有していると、不足分の運賃（あるいは初乗り料金）の金額を引き去ってしまうことがあるという問題点がある。
【００１０】
（３）１人の利用者が定期券として利用する媒体を２枚同時に所持しなければならないという煩わしさがあるという問題点がある。
【発明の開示】
【発明が解決しようとする課題】
【００１１】
この発明は、上記のような問題点を解決するものであり、複数の定期券を利用する場合であっても、複数の定期券として複数の媒体を同時に所持する必要がなく、複数の定期券情報を自動改札機で使用する際の利便性を向上できる定期券処理装置と定期券処理システムを提供することを目的とする。
【課題を解決するための手段】
【００１２】
この発明の定期券処理装置は、利用者が所持している複数の磁気券から複数の定期券情報を読み取る読取手段と、この読取手段により読み取った複数の定期券情報における有効区間が連続しているか否かを判断する判断手段と、この判断手段により複数の定期券情報における有効区間が連続していると判断した場合、前記読取手段により読み取った有効区間が連続している複数の定期券情報を定期券として使用可能な１つのＩＣカードに記録して発券する発券手段とを有する。
【００１３】
この発明の定期券処理装置は、利用者が所持している磁気券から定期券情報を読み取る第１の読取手段と、利用者が所持しているＩＣカードから定期券情報を読み取る第２の読取手段と、前記第１の読取手段により読み取った前記磁気券の定期券情報における有効区間と前記第２の読取手段により読み取った前記ＩＣカードの定期券情報における有効区間とが連続しているか否かを判断する判断手段と、この判断手段により前記磁気券の定期券情報における有効区間と前記ＩＣカードの定期券情報における有効区間とが連続していると判断した場合、前記第１の読取手段により読み取った前記磁気券の定期券情報を前記ＩＣカードに記録する記録手段とを有する。
【００１４】
この発明の定期券処理システムは、定期券に対する処理を行う定期券処理装置と複数の定期券情報による組み合わせ判定が可能な自動改札機とを有するシステムにおいて、前記定期券処理装置は、利用者が所持している複数の磁気券から複数の定期券情報を読み取る第１の読取手段と、この第１の読取手段により読み取った複数の定期券情報における有効区間が連続しているか否かを判断する判断手段と、この判断手段により複数の定期券情報における有効区間が連続していると判断した場合、前記第１の読取手段により読み取った複数の定期券情報を前記自動改札機で使用可能な１つのＩＣカードに記録して発券する発券手段とを有し、前記自動改札機は、前記定期券処理装置にて複数の定期券情報を記録したＩＣカードから複数の定期券情報を読み取る第２の読取手段と、この第２の読取手段により読み取った複数の定期券情報の組み合わせに基づいて当該ＩＣカードを所持している利用者に対する通行の可否を判定する判定手段と、この判定手段による判定結果に基づいて当該利用者の通行を制御する通行制御手段とを有する。
【００１５】
この発明の定期券処理システムは、定期券に対する処理を行う定期券処理装置と複数の定期券情報による組み合わせ判定が可能な自動改札機とを有するシステムにおいて、前記定期券処理装置は、利用者が所持している磁気券から定期券情報を読み取る第１の読取手段と、利用者が所持しているＩＣカードから定期券情報を読み取る第２の読取手段と、前記第１の読取手段により読み取った前記磁気券の定期券情報における有効区間と前記第２の読取手段により読み取った前記ＩＣカードの定期券情報における有効区間とが連続しているか否かを判断する判断手段と、この判断手段により前記磁気券の定期券情報における有効区間と前記ＩＣカードの定期券情報における有効区間とが連続していると判断した場合、前記読取手段により読み取った前記磁気券の定期券情報を前記ＩＣカードに記録する記録手段とを有し、前記自動改札機は、前記定期券処理装置にて磁気券の定期券情報を記録したＩＣカードから複数の定期券情報を読み取る第３の読取手段と、この第３の読取手段により読み取った複数の定期券情報の組み合わせに基づいて当該ＩＣカードを所持している利用者に対する通行の可否を判定する判定手段と、この判定手段による判定結果に基づいて当該利用者の通行を制御する通行制御手段とを有する。
【発明の効果】
【００１６】
この発明によれば、複数の定期券を利用する場合であっても、複数の定期券として複数の媒体を同時に所持する必要がなく、複数の定期券を自動改札機で使用する際の利便性を向上できる定期券処理装置と定期券処理システムを提供することができる。
【発明を実施するための最良の形態】
【００１７】
以下、この発明の実施の形態について図面を参照して説明する。
【００１８】
図１は、この発明の定期券処理システムの実施の形態に係る駅務システムの構成を概略的に示すブロック図である。図１は、鉄道などの交通機関で利用される駅務システム（定期券処理システム）の構成を概略的に示している。この駅務システムは、図１に示すように、自動改札機１、定期券処理装置としての自動定期券発行機２、及び定期券処理装置としてのカード処理機３等の駅務機器と、これらの駅務機器に対する上位装置としてのホストコンピュータ４とを有している。
【００１９】
上記自動改札機１は、駅の改札口などに設置され、利用者が所持している乗車券や定期券に記録されている内容に基づいて、改札口での利用者に対する改札業務を行うものである。例えば、上記自動改札機１は、利用者が所持している定期券に記録されている有効期間、有効区間などの定期券情報に基づいて当該利用者に対する入場あるいは出場の許可不許可を判定することにより入出場処理を実行する。
【００２０】
上記自動定期券発行機２は、定期券処理装置として機能し、利用者の操作に応じて定期券の発行処理などを行うものである。上記カード処理機３は、定期券処理装置として機能し、利用者が所持している券に対して種々の処理を施すものである。上記ホストコンピュータ４は、自動改札機１、自動定期券発行機２及びカード処理機３などの各駅務機器における処理データを集計したり、各駅務機器の動作状況を管理したりするものである。
【００２１】
次に、上記自動改札機１の構成について詳細に説明する。
【００２２】
図１に示すように、上記自動改札機１は、制御部（判定手段）１１、通信部１２、メモリ１３、表示部１４、ドア制御部（通行制御手段）１５、磁気券処理部１６、及びカードリーダライタ（読取手段）１７などを有している。
【００２３】
上記制御部１１は、自動改札機１全体の制御を行うものである。上記通信部１２は、上位装置としての上記ホストコンピュータ４との通信を行うインターフェースである。上記メモリ１３は、入場あるいは出場を判定するための運賃データなどが記録されている。
【００２４】
上記表示部１４は、液晶表示器などで構成され、自動改札機１を利用する利用者に対して入出場の判定結果などの案内を表示する。上記ドア制御部１５は、当該自動改札機１に設けられている図示しないドアを開閉制御するものである。
【００２５】
上記磁気券処理部１６は、乗車券あるいは定期券として使用される磁気券（以下、磁気乗車券、磁気定期券とも称する）を処理するものである。上記磁気券処理部１６は、磁気乗車券あるいは磁気定期券を搬送する搬送機構、磁気券から磁気情報を読取る読取手段としての読取ヘッド、磁気券に磁気情報を書込む書込手段としての書込ヘッド、磁気券の券面に印刷を施す印刷手段としての印刷機構、及び、磁気券を選択的に回収する回収手段としての回収機構などを有している。
【００２６】
上記カードリーダライタ１７は、乗車券や定期券として使用されるＩＣカード（以下、ＩＣ乗車券、ＩＣ定期券とも称する）を処理するものである。上記カードリーダライタ１７は、ＩＣ定期券あるいはＩＣ乗車券に記録されている情報を読取る読取手段としての機能と、ＩＣ定期券あるいはＩＣ乗車券に情報を書込む書込手段としての機能を有している。上記ＩＣ定期券あるいはＩＣ乗車券は、例えば、無線通信機能を有する無線式のＩＣカード（無線カード）が用いられる。この場合、上記カードリーダライタ１７は、利用者が所定の通信位置（読取位置）に翳した無線カードに対して無線通信により情報の読取及び書込みを行うように構成される。なお、以下の説明では、ＩＣ定期券として無線式のＩＣカードが用いられるものを想定して説明する。
【００２７】
次に、上記自動定期券発行機２の構成について詳細に説明する。
【００２８】
図１に示すように、上記自動定期券発行機２は、制御部（判断手段）２１、通信部２２、メモリ２３、表示部２４、操作部２５、券処理部（読取手段）２６、カードリーダライタ（読取手段、記録手段）２７、金額処理部２８、及び、発券機構部（発券手段）２９などを有している。
【００２９】
上記制御部２１は、自動定期券発行機２全体の制御を行うものである。上記通信部２２は、上位装置としての上記ホストコンピュータ４との通信を行うインターフェースである。上記メモリ２３は、定期券を発券する際に定期料金を算出するための運賃データなどが記録されている。上記表示部２４は、液晶表示器などで構成され、発券する定期券の内容などの種々の案内を表示するものである。上記操作部２５は、利用者が操作指示を入力するものである。上記表示部２４及び上記操作部２５は、例えば、タッチパネル内蔵の液晶表示器などで構成される。
【００３０】
上記磁気券処理部２６は、磁気定期券に記録されている磁気情報を読み取ったり、磁気定期券に磁気情報を書込んだりするものである。上記カードリーダライタ２７は、ＩＣ定期券などのＩＣカードに記録されている情報を読み取ったり、ＩＣカードに情報を書込んだりするものである。上記金額処理部２８は、利用者が投入した現金あるいは金額カード（プリペイドカードやクレジットカード）の金額を処理するものである。上記発券機構部２９は、定期券を発行するものである。ここでは、上記発券機構部２９は、当該自動定期券発行機２内に予め用意されている初期状態のＩＣカードに定期券情報を記録して発券する機能を有しているものとする。
【００３１】
次に、上記カード処理機３の構成について詳細に説明する。
【００３２】
図１に示すように、上記カード処理機３は、制御部（判断手段）３１、通信部３２、メモリ３３、表示部３４、操作部３５、磁気券処理部（読取手段）３６、カードリーダライタ（読取手段、記録手段）３７、及び金額処理部３８などを有している。
【００３３】
上記制御部３１は、カード処理機３全体の制御を行うものである。上記通信部３２は、上位装置としての上記ホストコンピュータ４との通信を行うインターフェースである。上記表示部３４及び上記操作部３５は、例えば、タッチパネル内蔵の液晶表示器などで構成される。
【００３４】
上記磁気券処理部３６は、磁気乗車券あるいは磁気定期券の記録内容を読み取ったり、磁気乗車券や磁気定期券にデータを書込んだりするものである。上記カードリーダライタ３７は、ＩＣ定期券などのＩＣカードの記録内容を読み取ったり、ＩＣ定期券などのＩＣカードに情報を書込んだりするものである。上記金額処理部３８は、利用者が投入した現金あるいは金額カードの金額を処理するものである。
【００３５】
次に、本実施の形態の第１の動作例として２つの磁気定期券（あるいは磁気式の特殊乗車証）を１つのＩＣ定期券にする場合の動作について説明する。
【００３６】
ここでは、利用者が有効区間の連続する磁気定期券あるいは磁気式の特殊乗車証を２つ所持しているものとする。つまり、２つの磁気券の組み合わせとしては、２枚の分割定期券の組み合わせ、通勤定期券と通学定期券との組み合わせ、あるいは、通勤定期券と職務乗車証などの特殊乗車証との組み合わせなどが想定される。
【００３７】
なお、以下の第１の動作例の説明では、２つの磁気定期券の場合について説明するが、磁気定期券と磁気式の特殊乗車証との組み合わせであっても同様な動作となる。また、以下の説明では、上記自動定期券発行機２での処理として説明するが、上記カード処理機３に上記発券機構部２９と同様なＩＣカードとしてのＩＣ定期券を発券する発券機構部を設けることにより以下の説明と同様な動作が実現可能である。
【００３８】
上記のような２つの磁気定期券を１つのＩＣカード（ＩＣ定期券）にまとめる場合、利用者は、定期券処理装置としての上記自動定期券発行機２あるいは上記カード処理機３において、２つの磁気定期券を１つのＩＣ定期券にまとめる指示を入力し、２つの磁気定期券を図示しない挿入口に挿入する。
【００３９】
上記自動定期券発行機２では、利用者が挿入した２つの磁気定期券を受け入れると、上記磁気券処理部１６により利用者が挿入口に挿入した２つの磁気定期券の記録内容をそれぞれ読み取る（ステップＳ１２）。利用者が挿入した２つの磁気定期券から記録内容を読み取ると、上記制御部２１は、読み取った記録内容からそれぞれの磁気定期券の定期券情報に含まれる有効区間を判定する。この判定に基づき、上記制御部２１は、利用者が挿入口に挿入した２つの磁気定期券の有効区間が連続しているか否かを判断する（ステップＳ１３）。
【００４０】
この判断により利用者が挿入した２つの磁気定期券の有効区間が連続していないと判断した場合（ステップＳ１３、ＮＯ）、上記制御部２１は、上記表示部２４に有効区間が連続していないため１つのＩＣ定期券にまとめることができない旨を表示するとともに、利用者が投入した２つの磁気定期券を返却して当該処理を中止する（ステップＳ１４）。
【００４１】
上記判断により利用者が挿入した２つの磁気定期券の有効区間が連続していると判断した場合（ステップＳ１３、ＹＥＳ）、上記制御部２１は、上記発券機構部２９において初期状態のＩＣカードを取出し、そのＩＣカードに上記磁気券処理部１６にて読み取った２つの磁気定期券の定期券情報を記録する（ステップＳ１５）。この２つの定期券情報を記録したＩＣカードは、ＩＣ定期券として上記発券機構部２９から図示しない排出部に排出される。これにより、２つの定期券情報を記録したＩＣ定期券が発券されたこととなる。
【００４２】
なお、２つの定期券情報を記録したＩＣカードには、上記発券機構部２９にて、券面に２つの定期券情報の有効区間及び有効期間を示す情報をそれぞれ印刷するようにしても良い。また、券面の印刷形式としては、２つの定期券情報の有効区間と有効期間を併記して印刷するようにしても良いし、２つの定期券情報の有効期間が同一であれば、全区間（連続する２つの定期券情報の有効区間からなる区間）を有効区間として印刷するようにしても良い。
【００４３】
また、上記ＩＣカードに２つの定期券情報を記録すると、上記制御部２１は、上記磁気券処理部２６により利用者が投入した２つの磁気定期券に対してＩＣカード（ＩＣ定期券）に定期券情報を記録済みであることを示す情報を記録する（ステップＳ１６）。これにより、ＩＣ定期券に記録した定期券情報を有する磁気定期券を不正に利用できないようにすることができる。なお、これらの磁気定期券は、当該自動定期券発行機２内で回収するようにしても良いし、利用者に返却するようにしても良い。
【００４４】
また、上述した処理手順では、新規のＩＣカードに２つの定期券情報を記録して発券するものとして説明したが、ＩＣカードにデポジット料金（保証金）が設定されているような運用である場合、上記ステップＳ１３と上記ステップＳ１４との間で、ＩＣカードに対するデポジット料金を徴収するようにする。この場合、上記ステップＳ１３で２つの定期券情報の有効区間が連続していると判断した後、発券するＩＣ定期券としてのＩＣカードに対するデポジット料金が徴収できれば、上記ステップＳ１５へ進むようにすれば良い。また、上記ステップＳ１３で２つの定期券情報の有効区間が連続していると判断した後、発券するＩＣ定期券としてのＩＣカードに対するデポジット料金が徴収できなければ、上記ステップＳ１４へ進み、エラー表示を行って当該処理を中止するようにすれば良い。
【００４５】
上記のように、２つの磁気定期券からそれぞれ定期券情報を読み取り、それら２つの磁気定期券における有効区間が連続する場合、それぞれの磁気定期券の定期券情報を１つのＩＣ定期券に記録し、発券するようにしたものである。これにより、２つの定期券を所持する煩わしさがなくなり、１つのＩＣ定期券で２つの定期券情報からなる区間を利用できる。
【００４６】
次に、本実施の形態の第２の動作例として磁気定期券（あるいは磁気式の特殊乗車証）を利用者が既に所持しているＩＣ定期券にまとめる場合の動作について説明する。
【００４７】
ここでは、利用者が磁気定期券あるいは磁気式の特殊乗車証と、その磁気定期券あるいは磁気式の特殊乗車証の有効区間と連続する有効区間の定期券情報が記録されているＩＣ定期券とを所持しているものとする。つまり、一方がＩＣカードで他方が磁気券となる２つの券の組み合わせとしては、２枚の分割定期券の組み合わせ、通勤定期券と通学定期券との組み合わせ、あるいは、通勤定期券と職務乗車証などの特殊乗車証との組み合わせなどが想定される。
【００４８】
なお、以下の第２の動作例の説明では、磁気定期券とＩＣ定期券との場合について説明するが、磁気式の特殊乗車証とＩＣ定期券との組み合わせであっても同様な動作となる。また、以下の説明では、カード処理機３での処理として説明するが、上記自動定期券発行機３であっても以下の説明と同様な動作が実現可能である。
【００４９】
上記のように、利用者が既に所持している磁気定期券を利用者が既に所持しているＩＣ定期券に統合する場合、利用者は、定期券処理装置としての上記カード処理機３において、上記操作部３５により磁気定期券を既に所持しているＩＣ定期券にまとめる指示を入力し、磁気定期券を図示しない磁気定期券の挿入口に挿入するとともに(ステップＳ２１)、ＩＣ定期券をＩＣ定期券の挿入口に挿入する（ステップＳ２２）。
【００５０】
上記カード処理機３では、上記磁気券処理部３６により磁気定期券の挿入口に挿入された磁気定期券を受け入れ、当該磁気定期券の記録内容を読み取る（ステップＳ２３）。さらに、上記カード処理機３では、上記カードリーダライタ３７によりＩＣ定期券の挿入口に挿入されたＩＣ定期券を受け入れ、当該ＩＣ定期券の記録内容を読み取る（ステップＳ２４）。
【００５１】
上記制御部３１は、磁気定期券から読み取った記録内容から磁気定期券の定期券情報に含まれる有効区間を判定するとともに、ＩＣ定期券から読み取った記録内容からＩＣ定期券の定期券情報に含まれる有効区間を判定する。これらの判定に基づき、上記制御部３１は、利用者が挿入した磁気定期券の有効区間とＩＣ定期券の有効区間とが連続しているか否かを判断する（ステップＳ２５）。
【００５２】
この判断により利用者が挿入した磁気定期券の有効区間とＩＣ定期券の有効区間とが連続していないと判断した場合（ステップＳ２５、ＮＯ）、上記制御部３１は、上記表示部３４に有効区間が連続していないため磁気定期券の定期券情報をＩＣ定期券にまとめることができない旨を表示するとともに、利用者が挿入した磁気定期券とＩＣ定期券とを返却して当該処理を中止する（ステップＳ２６）。
【００５３】
上記判断により利用者が挿入した磁気定期券の有効区間とＩＣ定期券の有効区間とが連続していると判断した場合（ステップＳ２５、ＹＥＳ）、上記制御部３１は、上記磁気券処理部３６により読み取った磁気定期券の定期券情報を上記カードリーダライタ３７により利用者が挿入したＩＣ定期券に記録する（ステップＳ２７）。この２つの定期券情報を記録したＩＣ定期券は、上記ＩＣ定期券の挿入口から排出されて利用者に返却される。
【００５４】
なお、磁気定期券の定期券情報を記録したＩＣ定期券には、図示しない印刷機構を用いて券面の印刷内容も更新し、２つの定期券情報の有効区間及び有効期間を示す情報をそれぞれ印刷するようにしても良い。この場合、券面の印刷形式としては、２つの定期券情報の有効区間と有効期間を併記して印刷するようにしても良いし、２つの定期券情報の有効期間が同一であれば、全区間（連続する２つの定期券情報の有効区間からなる区間）を有効区間として印刷するようにしても良い。
【００５５】
また、上記ＩＣ定期券に上記磁気定期券の定期券情報を記録すると、上記制御部３１は、上記磁気券処理部３６により利用者が挿入した磁気定期券に対してＩＣカード（ＩＣ定期券）に定期券情報を記録済みであることを示す情報を記録する（ステップＳ２８）。これにより、ＩＣ定期券に記録した定期券情報を有する磁気定期券を不正に利用できないようにすることができる。また、上記磁気定期券は、当該自動定期券発行機２内で回収するようにしても良いし、利用者に返却するようにしても良い。
【００５６】
上記のように、利用者が既に所持している磁気定期券とＩＣ定期券とからそれぞれ定期券情報を読み取り、磁気定期券の有効区間がＩＣ定期券の有効区間と連続する場合、磁気定期券の定期券情報をＩＣ定期券に記録するようにしてものである。これにより、磁気定期券とＩＣ定期券と同時に所持する煩わしさがなくなり、１つのＩＣ定期券で２つの定期券情報からなる区間を利用できる。
【００５７】
次に、２つの定期券情報が記録されたＩＣ定期券による自動改札機１の動作例について説明する。
【００５８】
なお、以下の説明では、利用者が所持しているＩＣ定期券には複数の定期券情報の他にストアードフェアカード（ＳＦカード）としての機能が搭載可能であるとし、自動改札機１では複数の定期券情報に加えてＳＦカードの機能を組み合わせた通行判定が可能であるものとする。
【００５９】
まず、ＩＣ定期券を所持している利用者は、自動改札機１の所定の読取位置にＩＣ定期券を提示する。すると、自動改札機１の上記通信部１２は、利用者から提示されたＩＣ定期券との通信を行って当該ＩＣ定期券の記録内容を読み取る（ステップＳ３１）。上記自動改札機１の制御部１１は、上記通信部１２によりＩＣ定期券から読み取った記録内容から有効な定期券情報を抽出する（ステップＳ３２）。ここで、有効な定期券情報とは、例えば、有効期間内である定期券情報である。
【００６０】
当該ＩＣ定期券の記録内容から有効な定期券情報が抽出できた場合（ステップＳ３２、ＹＥＳ）、上記制御部１１は、それらの有効な定期券情報の組み合わせに基づいて当該利用者の通行の可否を判定する通行判定処理を行う（ステップＳ３３）。すなわち、ＩＣ定期券内に有効な定期券情報が複数存在した場合、上記制御部１１は、それらの定期券情報の組み合わせで通行の可否を判定する。
【００６１】
例えば、駅構内への入場時の通行判定処理を行う場合、上記制御部１１は、当該自動改札機１が設置されている駅を有効区間に含む有効な定期券情報があるか否かにより通行の可否を判定する。これにより、ＩＣ定期券に記録されている複数の定期券情報による入場の可否を判定できるため、ＩＣ定期券がストアードフェアカード機能を有している場合であっても、誤って初乗り料金を徴収されることを無くすことができる。
【００６２】
また、駅構外への出場時の通行判定処理を行う場合、上記制御部１１は、当該自動改札機１が設置されている駅を有効区間に含む有効な定期券情報があるか否かにより通行の可否を判定するとともに、当該ＩＣ定期券に記録されているべき入場情報が有効か否かを判定する。これにより、ＩＣ定期券がストアードフェアカード機能を有している場合であっても、誤って料金を徴収されることを無くすことができる。さらに、ＩＣ定期券に記録されている複数の定期券情報に基づいて出場判定を行うとともに、入場情報をチェックすることができ、ＩＣ定期券の不正利用を防止できる。
【００６３】
また、乗換駅（乗換改札口）での乗り換え時の通行判定処理を行う場合、上記制御部１１は、ＩＣ定期券に記録されている複数の定期券情報に基づいて、上記したような出場判定を行うとともに、上記したような入場判定を行う。これにより、例えば、鉄道会社が替わるような乗換用の改札口に設けられる自動改札機であっても、複数枚の定期券を処理する必要がなく、１つのＩＣ定期券から記録内容を読み取るだけで、乗換の可否を判定できる。従って、複数の定期券情報に基づいて通行の可否を判定する乗換口用の自動改札機であっても、１人の利用者に対して複数枚の定期券を処理する機構や制御を行わなくともよいため、自動改札機の制御や機構が複雑になることがない。
【００６４】
上記ステップＳ３３の通行判定処理によりＩＣ定期券に記録されている複数の定期券情報の組み合わせで通行可と判定した場合（ステップＳ３４、ＹＥＳ）、上記制御部１１は、上記カードリーダライタ１７により当該ＩＣ定期券に通行履歴情報を記録する（ステップＳ３５）。ＩＣ定期券に記録される通行履歴としては、例えば、入場時には入場駅や入場時間を示す入場情報が記録され、出場時には入場情報に対応する出場情報が記録される。
【００６５】
さらに、当該ＩＣ定期券に通行履歴情報を記録すると、上記制御部１１は、当該利用者に対して通行を促すために上記表示部１４に通行可である旨を表示するとともに、上記ドア制御部１５により図示しないドアを開放することにより当該利用者の通行を許可する（ステップＳ３６）。
【００６６】
また、上記ステップＳ３２で当該ＩＣ定期券に有効な定期券情報がないと判断した場合（ステップＳ３２、ＮＯ）、あるいは、上記ステップＳ３３の通行判定処理で通行不可を判断した場合（ステップＳ３４、ＮＯ）、上記制御部１１は、当該ＩＣ定期券が有しているストアードフェアカード機能（ＳＦカード機能）による通行判定処理を行う（ステップＳ３７）。このＳＦカード機能による通行判定処理では、不足分の乗車料金がＳＦカード機能の残額から引き去り可能な否かによって当該利用者の通行の可否を判定するものである。
【００６７】
例えば、入場判定において当該ＩＣ定期券の定期券情報による入場が不可と判断した場合、上記制御部１１は、当該ＩＣ定期券のＳＦカード機能により初乗り料金分の金額を引き去って、上記ステップＳ３５へ進む。また、出場判定において当該ＩＣ定期券の定期券情報による出場が不可であると判断した場合、上記制御部１１は、当該ＩＣ定期券に記録されている入場情報や当該ＩＣ定期券内の有効な定期券情報における有効区間などに基づいて利用者から徴収すべき料金を判断し、その金額を当該ＩＣ定期券のＳＦカード機能により引き去って、上記ステップＳ３５へ進む。
【００６８】
また、当該ＩＣ定期券のＳＦカード機能の残額が必要な金額より少ない場合、あるいは当該ＩＣ定期券がＳＦカード機能を有していない場合（ステップＳ３８、ＮＯ）、上記制御部１１は、上記表示部１４に通行不可である旨を表示するとともに、上記ドア制御部１５により図示しないドアを閉鎖して当該利用者の通行を不可とする（ステップＳ３９）。
【００６９】
上記のように、本実施の形態によれば、定期券処理装置で複数の定期券のそれぞれの定期券情報を１つのＩＣ定期券に記録することにより複数枚の定期券を１枚のＩＣ定期券にまとめ、複数の定期券情報が記録されているＩＣ定期券に対しては、自動改札機において複数の定期券情報の組み合わせで通行の可否を判定するようにしたものである。
【００７０】
これにより、利用者にとっては、複数の定期券を同時に所持する必要がなく、自動改札機を通過する際も１つのＩＣ定期券を提示するだけでよくなるため、利便性が向上する。また、自動改札機では複数の定期券情報による不正判定を行えるとともに、１人の利用者に対して複数の定期券を処理する必要がなくなるため、改札処理を簡単化することができる。
【図面の簡単な説明】
【００７１】
【図１】本発明の定期券処理システムの実施の形態に係る駅務システムの構成を示すブロック図。
【図２】自動定期券発行装置あるいはカード処理機などの定期券処理装置での第１の動作例を説明するためのフローチャート。
【図３】自動定期券発行装置あるいはカード処理機などの定期券処理装置での第２の動作例を説明するためのフローチャート。
【図４】複数の定期券情報が記録されている１枚のＩＣ定期券に対する自動改札機の動作例を説明するためのフローチャート。
【符号の説明】
【００７２】
１…自動改札機、２…自動定期券発行機（定期券処理装置）、３…カード処理機（定期券処理装置）、４…ホストコンピュータ、１１…制御部（判定手段）、１５…ドア制御部（通行制御手段）、１７…カードリーダライタ（読取手段）、２１…制御部、２６…磁気券処理部（読取手段）、２７…カードリーダライタ（読取手段、記録手段）、２９…発券機構部（発券手段）、３１…制御部（判断手段）、３６…磁気券処理部（読取手段）、３７…カードリーダライタ（読取手段、記録手段）
【図１】
2005100252.tif 000003
【図２】
2005100252.tif 000004
【図３】
2005100252.tif 000005
【図４】
2005100252.tif 000006